(57)【要約】【課題】入居の際又は後でも、ドアの開き勝手や開閉勝手を容易かつ迅速に変えることができる。【解決手段】左右の縦外枠１２，１３にマグネット板３２，３３を介して戸当たり部２２ａ，２３ａと平坦部２２ｂ，２３ｂとを一体成形した左右の縦内枠２２，２３を取り付け、丁番５を介してドア本体４をこの左縦内枠に揺動自在に取り付ける。例えばドアを外開きから内開きに変えるときには、丁番５のヒンジ軸５３を抜いてドア本体４を取り外した後、左右の縦内枠２２，２３をマグネット板３２，３３から取り外し、この縦内枠とドア本体とを上方から見て１８０度回転させて取り付け直すだけで、ドアの開閉勝手を容易かつ迅速に変更できる。【選択図】    図３
2004150055.tif 000002
【特許請求の範囲】
【請求項１】
縦外枠と、この縦外枠にマグネットを介して着脱可能に取り付けてある縦内枠と、この内枠の一方に揺動自在に支持されるドア本体とを備え、
上記縦内枠は、戸当たり部とこの戸当たり部から延伸している平坦部とを一体的に形成してある
ことを特徴とする開き式ドア構造。
【請求項２】
請求項１において、前記縦外枠が磁性体で構成され、
前記縦内枠の上記縦外枠に相対する面に、マグネット板が取り付けてある
ことを特徴とする開き式ドア構造。
【請求項３】
請求項１〜２のいずれかにおいて、前記ドア本体は、ドア幅方向の一側であって縦内枠の半分の高さの位置にドアハンドルを有し、
上記ドア本体の他側の端面には、このドア本体を支持する丁番を有し、
上記丁番は、ドア側丁番と内枠側丁番とこれらを揺動自在に連結するヒンジ軸とを備え、
上記丁番の所定の取り付け位置は、上記縦内枠の上下両端から同一寸法だけ離れた個所であり、
上記内枠側丁番は、上記ドア本体の一側端面上であってこの一側端面の縦中心線に対称に開けた穴にネジ止めしてある
ことを特徴とする開き式ドア構造。
【請求項４】
請求項１〜２のいずれかにおいて、前記ドア本体は、ドア幅方向の一側であって所定の高さの位置にドアハンドルを有し、
上記ドア本体の他側の端面には、このドア本体を揺動自在に支持する丁番を有している
ことを特徴とする開き式ドア構造。
【発明の詳細な説明】
【０００１】
【発明の属する技術分野】
本発明は、例えば集合住宅で使用される片開き式あるいは両開き式などの、開き式ドア構造に関する。
【０００２】
【従来の技術】
従来から、例えば集合住宅用のドアとして、片開き式あるいは両開き式などの開き式ドアが使用されている。このうち最も一般的な片開き式ドアにあっては、左開きか右開きか（以下これを「開き勝手」という。）という違いだけでなく、内開きか外開きか（以下これを「開閉勝手」という。）の違いがあり、各住戸の間取りによっては、様々な開き勝手や開閉勝手のドアが存在している。
【０００３】
ところでドアの開き勝手や開閉勝手は、入居者の生活動線や各部屋の使い方、すなわち家具の配置などを考慮して、その建物の設計者が選定するが、注文住宅と異なり、分譲あるいは賃貸の集合住宅の場合は、予め入居者を想定して設計するしかない。このため、生活スタイルが多様化した今日では、入居者が実際に入居する際や、入居後に家具の配置を変更する等の際に、ドアの開き勝手や開閉勝手の変更を希望する場合も多い。
【０００４】
ところが、ドアの開き勝手や開閉勝手の変更という単純な行為と思える作業が、実際には様々な問題があり、容易には変更できないのが実情である。たとえば、内開きで左開きのドアを、内開きのままで右開きに開き勝手を変更する場合には、丁番の付替えの他に、少なくとも施錠用のラッチ穴を新たにドア枠に設け、さらには外観を整えるために、既に使用していたドア枠のラッチ穴や、丁番を固定していたネジの穴を、目隠しすることが必要になる。
【０００５】
しかし目隠しても、外観上の見栄えを完全に修復することは困難であるため、ドア枠自体を新たに取り替えることが考えられるが、通常ドア枠は、住居の間仕切壁に固定されているので、取り外すのは容易でなく、間仕切壁の一部を解体しなければならない場合も多い。また集合住宅では、間仕切壁の板厚とドア本体の厚さとの関係から、一般的にはドア枠の戸当たり部が、ドア枠の中心から内側あるいは外側の一方に偏って形成してある。したがって内開きから外開きに変更するためには、単にドア本体を、内側から外側に付替えればよいというわけにはいけない事情がある。従って結局ドア枠の取替えが必要条件となり、開閉勝手等の変更が困難となっている。
【０００６】
そこでこのような問題を解決すべく、本願発明者は既に、工事完了後の入居の際や入居後において、特別な技能を必要とすることなく、場合によっては入居者自らが、ドアの開き勝手や開閉勝手を容易に変更可能な、開き式ドア構造を、提案している（特許文献１参照）。
【０００７】
図９は、本発明者が提案した上述の開き式ドア構造の一実施の形態を示したものである。この開き式ドア構造は、左右の間仕切壁３，３０の端面に固定した左右の縦外枠１，１０に、それぞれ左右の内枠４，４０を、着脱可能にネジ止めしたものである。左右の内枠４，４０は、同じ断面形状で形成してあり、それぞれ戸当り部４１ｂと平板部４１ｃと係止爪４１ａとを有している。そして係止爪４１ａ，４１ａを、それぞれ左右の縦外枠１，１０に形成した係止溝１ａ，１０ａに挿入することにより、左右の内枠４，４０の厚さ方向の位置決めをしている。またドア本体Ｄは、丁番６によって吊元側の内枠４に取り付ける。したがって、左右の縦外枠１，１０から、左右の内枠４，４０を取り外して相互に入れ替え、ドア本体Ｄを付け替えることだけで、ドアの開き勝手や開閉勝手を容易に変更することができる。なお、図９に示す部品番号は、後述する図１〜図８に示す部品番号と一部重複しているが、上記引用例で使用してある部品番号をそのまま使用したものであって、相互に関連性はない。
【０００８】
【特許文献１】
特開２０００−０３８８２０号公報（図３等）
【０００９】
【発明が解決しようとする課題】
しかし上述した開き式ドア構造においては、その後さらに改良すべき点が見出された。すなわち左右の内枠４，４０は、それぞれ左右の縦外枠１，１０に着脱可能に取り付けられるが、ドア本体Ｄは、それ自体相当の重さがあり、また頻繁に開閉のショックが加わるものである。したがってドア本体Ｄを長期間にわたって使用しても、この縦内枠が縦外枠から外れたり、相互の位置がずれたりしないことが不可欠である。このため縦内枠４，４０を縦外枠１，１０にネジ止めし、さらにはこの縦外枠に形成した係止溝１ａ，１０ａに、この縦内枠の係止爪４１ａを挿入して、この縦内枠が縦外枠から外れたり、相互の位置がずれないようにしている。
【００１０】
しかるに、ドアの開き勝手等を変更する際に、縦外枠１，１０のネジ穴を正確な位置に開け直す等のことは、必ずしも容易ではない。特に入居者自らがこの作業を行なう場合には、例え電動ドリル等の道具があったとしても、ネジ穴を正確な位置に開けることは容易ではない。さらに係止溝１ａ，１０ａを有する縦外枠１，１０や係止爪４１ａを有する縦内枠４，４０は、形状がその分複雑となって、コストが嵩むことになる。
【００１１】
そこで本発明の目的は、工事完了後の入居の際や入居後において、ドアの開き勝手や開閉勝手をさらに容易に変更可能な、開き式ドア構造を提供するものである。
【００１２】
【課題を解決するための手段】
上記課題を解決すべく、本発明による開き式ドア構造の第１の特徴は、縦外枠と、この縦外枠にマグネットを介して着脱可能に取り付けてある縦内枠と、この縦内枠の一方に揺動自在に支持されるドア本体とを備えていることにある。またこの縦内枠は、戸当たり部とこの戸当たり部から延伸している平坦部とを一体的に形成してある。
【００１３】
ここで、マグネットを介して着脱可能に取り付けてあるとは、それぞれ縦内枠と縦外枠とにマグネットを接着剤等で貼り付けて、このマグネット同士を密接させて縦内枠を縦外枠に固定する場合に限らず、縦内枠と縦外枠とを共に磁性体で構成し、その間に挿入されたマグネットの磁力によって、縦内枠を縦外枠に固定する場合、あるいは縦内枠と縦外枠とのいずれか一方だけを磁性体で構成し、他方にマグネットを接着剤等で貼り付けて、縦内枠を縦外枠に固定する場合も含む。
【００１４】
このように発明を構成することにより、縦内枠を極めて容易に縦外枠に着脱することが可能になり、開き式ドアの開き勝手や開閉勝手を容易に変更することができる。すなわち上述したように、縦内枠を対応する縦外枠に着脱可能に取り付ける場合には、長期間の使用中に両者が外れたり、ずれたりしないことが不可結であるが、ドア本体は、それ自体相当の重さがあり、また頻繁に開閉のショックが加わるものである。従って、通常の発想では、マグネットだけで、長期間にわたる使用中に、縦内枠が縦外枠から外れたり、ずれたりしないように保持することは困難であるとも考えられる。
【００１５】
しかるに本発明者は、マグネットを介して縦外枠に取り付けた縦内枠は、長期間の使用に対して、縦外枠から外れたり、ずれたりしないことを試作品により確認した。すなわち、マグネットと磁性体との接触面積を広くし、このマグネットを介して縦外枠あるいは縦内枠とを密着させれば、磁性による密着性が一般的に考える以上に強く、磁性力だけで長期間の使用に耐えることが判明した。一方マグネットと磁力体との密着面の周辺部に、ドライバや薄板等を差し込んで、この密着面の一部を剥がすと、その後はこの部分を始点として、容易にマグネット板を分離することができることも確認している。
【００１６】
したがって、このように発明を構成することにより、縦内枠を縦外枠にネジ等で着脱可能に取り付ける場合より、さらに容易かつ迅速に、縦内枠を縦外枠へ着脱可能に取り付けることができる。また縦内枠と縦外枠とのずれ等を防止するための係止溝や係止爪を形成する必要がなくなり、これらの部品の大幅なコストダウンが可能になる。
【００１７】
本発明による開き式ドア構造の第２の特徴は、前記特徴１に記載した縦外枠が磁性体で構成され、前記縦内枠のこの縦外枠に相対する面に、マグネット板が取り付けてあることにある。ここでマグネット板が取り付けてあるとは、マグネット板を接着剤で縦内枠に貼り付ける場合に限らず、ビス等でネジ止めしておく場合も含む。
【００１８】
すなわち後述するように、戸先側の縦内枠と、この縦内枠を縦外枠に固定するマグネット板とには、ドアハンドルのラッチ受け部を挿入するための開口穴を、開けておくことが必要になる。一方吊元側の縦内枠には、外観上無用な開口穴を明けておく必要がない。したがってドアハンドルの位置が左右に変わるように、開き勝手や開閉勝手を変更する場合には、開口穴を有する縦内枠とマグネット板とを相互に入れ替える必要がある。逆にいえば縦内枠とマグネット板とを、一体的にして左右を入れ替えれば、ドアハンドルの位置が左右に変わる変更にも対応できることになる。
【００１９】
すなわち、マグネット板をあらかじめ縦内枠に接着剤やビス等で固定しておいても、このマグネット板と左右の縦外枠とが着脱可能であれば、容易に開き勝手や開閉勝手を変更することができる。なお逆に、マグネット板を左右の縦外枠にあらかじめ固定する場合には、左右のマグネット板の双方に、ラッチ受け部を挿入するための開口穴を、開けておくことが必要になる。
【００２０】
本発明による開き式ドア構造の第３の特徴は、前記特徴１〜２のいずれかに記載したドア本体は、ドア幅方向の一側であって、縦内枠の半分の高さの位置にドアハンドルを有し、ドア本体の他側の端面には、このドア本体を揺動自在に支持する丁番を有していることにある。この丁番は、ドア側丁番と内枠側丁番と、これらを回転自在に連結するヒンジ軸とを備えている。そしてこの丁番の所定の取り付け位置は、この縦内枠の上下両端から同一寸法だけ離れた個所である。またこの内枠側丁番は、ドア本体の一側端面上であって、この一側端面の縦中心線に対称に開けた穴にネジ止めしてある。
【００２１】
ここで丁番の所定の取り付け位置とは、後述するようにドアの開き勝手を変更する際に、左右の縦内枠を入替えて、かつそれぞれ上下を逆にして使用する場合に、ドア本体が床面から同じ高さに支持できる位置を意味する。また、ドア本体の一側端面の縦中心線に対称に開けた穴は、通常この縦中心線を挟んだ２列の穴を意味するが、必ずしも２列に限らず、縦中心線に対称であれば、１列だけでも良く、また３列以上の穴でもよい。なお、丁番の取り付けは、上下の２箇所に限定されるものではなく、それ以上でもよい。
【００２２】
上記構成は、ドア本体の高さがそれほど高くなく、ドアハンドルを縦内枠の半分の高さに設けても、ドアハンドルの床面からの位置が、使い勝手を損なうほど高くならない場合に適用するものである。すなわち、このように発明を構成すると、左右の縦内枠の上下を１８０度回転させた場合に、ドア本体のドアハンドル及び丁番によるヒンジ部、並びに縦内枠に設けた施錠ロック用ラッチ受けの高さ方向位置が変化しない。したがって、ドアの左右の開き勝手のみ変更する場合には、左右の縦内枠をドアの正面から見て、時計方向に１８０度回転させて付け替え、ドア本体を上方からみて時計方向に１８０度回転させて付け替える。そして丁番を、上方からみて時計方向に１８０度回転させて、それぞれドア本体と縦内枠に付け直し、ドアハンドルをドア本体の逆側面に付け直すことで可能となる。
【００２３】
すなわち、左右の縦内枠を入替えて上下を逆にしても、施錠ロック用ラッチ受け及び丁番の高さ位置は変化しない。一方ドア本体は、裏表を逆にするだけであるため、ドアハンドル及び丁番の高さ位置は変化しない。ただし、丁番のヒンジ軸がドア本体と共に回転して裏側位置になるために、ドア本体の表側位置に付け直す必要がある。しかるにドア側丁番の取り付け穴が、ドア本体の一側端面の縦中心線に対称となる位置にあるため、ドア側丁番のヒンジ軸が表側位置になるように付け直しても、ドア本体の表面からヒンジ軸までの距離は変化しない。したがって、縦内枠の側端面に対するドア本体の取り付け位置は変化しないため、ドアの開閉機能も変化しない。
【００２４】
また、ドアの内外の開閉勝手のみを変更するときには、左右の縦内枠を、ドアの上方から見て、時計方向に１８０度回転させて取り付け、ドア本体も同様に１８０度回転させて、この左右の縦内枠に取り付けるだけでよい。したがって、それぞれ１種類のドア本体と縦内枠とを準備しておくだけで、左右の開き勝手と内外の開閉勝手とを、それぞれの組合せを変えつつ変更することが可能になる。
【００２５】
本発明による開き式ドア構造の第４の特徴は、前記特徴１〜２のいずれかに記載したドア本体は、ドア幅方向の一側に所定の高さの位置に、ドアハンドルを有し、このドア本体の他側の端面には、このドア本体を揺動自在に支持する丁番を有していることにある。
【００２６】
このように発明を構成することにより、ドアの開閉勝手のみを変更するときには、上述したように左右の縦内枠とドア本体とを、ドアの上方から見て１８０度時計方向に回転させて取り付けるだけでよい。一方ドアの開き勝手のみを変更するときには、左右の縦内枠とドア本体とを別なものに取り替える。
【００２７】
【発明の実施の形態】
図１〜図３を参照しつつ開き式ドア構造を説明する。図１に示すように、開き式ドア構造は、上外枠１１と、沓摺（くつずり）１４と、左右の縦外枠１２，１３とからなる外枠１を備え、この外枠の内端面には、上内枠２１と、吊元側の左縦内枠２２と、戸先側の右縦内枠２３とからなる内枠２が組み込まれている。なお図中右上の矢視Ａ図に示すように、左右の縦外枠１２，１３は、上外枠１１及び沓摺１４より幅が大きくしてあり、両側面にそれぞれ段差ｄを設けている。
【００２８】
すなわち、左右の縦外枠１２，１３と、上外枠１１等の幅を同一にして、両者が面一になるようにすると、わずかな部材寸法や組立て誤差によっても、つなぎ目に段差が生じ、非常に見栄えが悪くなる。一方あらかじめ積極的に段差ｄを付けて置けば、段差ｄの大きさがわずかに異なっても、見栄えには影響をあたえない。さて外枠１と内枠２とは、強磁性体である鉄材で成形してある。そして左右の縦外枠１２，１３の外側面と、左右の縦内枠２２，２３の外側面との間には、それぞれ厚さ０．６ｍｍのマグネット板３２，３３が挿入されており、両外側面を磁力により密接、連結している。
【００２９】
吊元側の左縦内枠２２の上下２箇所には、内枠側丁番５１，５１が、それぞれこの左縦内枠の側面にビス止めしてある。一方ドア本体４の上下２箇所には、ドア側丁番５２，５２が、それぞれこのドア本体の左側端面にビス止めしてある。内枠側丁番５１，５１とドア側丁番５２，５２とは、ヒンジ軸５３，５３によって、揺動自在に連結してある。そして下方に位置する内枠側丁番５１の下端と沓摺１４の上面との距離ｈ２と、上方に位置する内枠側丁番５１の上端と上内枠２１の下面との距離ｈ２とは、同じにしてある。また、ドア本体４の右側にはドアハンドル４１が取り付けてあり、このドアハンドルは、縦内枠２２，２３の高さの半分の高さｈ１位置に設けてある。
【００３０】
したがって、上述したように左右の縦内枠２２，２３とを入れ替えて上下を逆にして取り付けた場合には、下方と上方とに位置する内枠側丁番５１，５１が、同じ高さ位置を維持しつつ入れ替わると共に、ドアハンドル４１の施錠ロック用のラッチ受け９の高さ方向位置も、変化しないことになる。
【００３１】
ところで図２に示すように、ドア側丁番５２，５２は、ドア本体４の左側端面に、６個のネジ８により取り付けてある。ネジ８をネジ込むネジ穴４３は、ドア本体４の左側端面の縦中心線４２を挟んで対称位置ｈ３に２列、それぞれ３個ずつ設けてある。したがって、上述したように上下のドア側丁番５２，５２を、ドア本体４の裏側から表側方向位置に付替える場合は、このドア本体の表面からヒンジ軸５３までの距離ｈ４は変化しない。
【００３２】
図３は、所定の高さ位置における開き式ドア構造の断面を示しており、左右の縦外枠１２，１３は、一部を切り欠いた中空の矩形断面形状を有しており、左右の間仕切壁２７，２８，２５，２６の端部に当設してある。また左右の縦外枠１２，１３の前後面には、プラスチック製のケーシング１７，１８，１５，１６が、装飾と補強を兼ねて取り付けてある。そして右縦外枠１３の半分の高さ位置には、ドアハンドル４１の施錠ロック用ラッチが侵入する、ラッチ受け９を装着するための開口穴１３ａが設けてある。なおドアの開き勝手等を変更するときには、ドアハンドル４１の取り付け位置が左右入れ替わるため、右縦外枠１３の半分の高さ位置にも、予め、ラッチ受け９を装着するための開口穴１２ａが設けてある。従って住居現場での穴開作業は不要である。
【００３３】
左右の縦内枠２２，２３は、戸当たり部２２ａ，２３ａと、これと直角な平坦部２２ｂ，２３ｂとを有し、この戸当たり部には、それぞれスチレン系エラストマーを素材とする樋形状の緩衝部材６２，６３が装着してあり、ドアを閉めたときのショックを緩和し、隙間風や音を遮断する。左縦内枠２２の上下２箇所には、内枠側丁番５１をネジ７で取り付けるためのネジ穴が、それぞれ２列に３個づつ設けてある。また、右縦内枠２３の半分の高さ位置には、ドアハンドル４１の施錠ロック用ラッチが侵入する、ラッチ受け９を装着するための開口穴２３ｄが、マグネット板３３と共に設けてある。
【００３４】
次に図１〜図３を参照しつつ、上述した開き式ドア構造の施工手順を説明する。先ず、ドアの開き勝手と開閉勝手との関係なく、左右の縦外枠１２，１３を、されぞれ左右の間仕切壁２７，２８，２５，２６の端部に固定し、プラスチック製のケーシング１７，１８，１５，１６を取り付ける。そして、上外枠１１を固定し、沓摺１４を床に固定する。次に上内枠２１を、上外枠１１に固定し、ドアの開き勝手と開閉勝手とを確認した後、縦内枠２２，２３とマグネット板３２，３３とを、それぞれ左右の縦外枠１２，１３の所定の位置に密着させる。
【００３５】
次に、左縦内枠２２の上下２箇所に設けたネジ穴に、内枠側丁番５１，５１を、ビス７で取り付け、右縦内枠２３とマグネット板３３とに設けた開口穴２３ｄに、ラッチ受け９を挿入して固定する。そして、ドア本体４の左側端面の上下２箇所に設けたネジ穴４３に、ドア側丁番５２，５２をビス８で取り付ける。そしてドア本体４を、内枠２内に吊り込み、ヒンジ軸５３，５３を上下の丁番５に差込み、このドア本体を揺動自在に取り付ける。
【００３６】
図４を参照しつつ、ドアの開き勝手、開閉勝手を変更する手段を説明する。図１〜図３に示した開き式ドア構造は、図４の右下に示した「右勝手外開き」に該当する。さて、この「右勝手外開き」ドアを、図４の右上に示した「右勝手内開き」に変更する場合は、左右の縦内枠２２，２３とドア本体４とを共に、ドア上方から見て、時計方向に１８０度回転させて付け直せばよい。
【００３７】
具体的には、先ずヒンジ軸５３，５３を、上下の丁番５，５から抜取り、ドア本体４を取り外す。そして、左右の縦内枠２２，２３と、マグネット板３２，３３とを、ドライバの先端をこのマグネット板の上端密着部に差し込んで少し引離し、この部分を始点として引き離す。次に、取り外した縦内枠２２，２３と、マグネット板３２，３３とを左右入替えて、それぞれ左右の縦外枠１２，１３の所定の位置に密着して固定し直す。そして、ドア本体４を裏表に１８０度回転させて、左右の縦内枠２３，２２に吊り込み、ヒンジ軸５３，５３を、上下の丁番５，５に挿入し、ドア本体４を揺動自在に取り付ける。なお、図１に示す上内枠２１にも、図３に示すような縦内枠２２，２３の緩衝部材６２，６３を付けておくと、ドアの密閉性が向上する。この場合には、上内枠２１の前後の向きを変えて付け直す必要がある。
【００３８】
次に、図４の右下に示した「右勝手外開き」ドアを、図４の左下に示した「左勝手外開き」に変更する場合は、左右の縦内枠２２，２３をドア正面から見て、時計方向に１８０度回転させ、ドア本体４をドア上方から見て、時計方向に１８０度回転させて、ドアハンドル４１を表裏付け直せばよい。具体的には上述したように、ドア本体４を取り外した後に、左右の縦内枠２２，２３を入替えて上下を逆にして、それぞれ左右の縦外枠１２，１３に、マグネット板３２，３３を介して固定する。次に上下の丁番５，５を取り外して、ヒンジ軸５３，５３が、ドア本体４の内側から外側になるように、この丁番を付替える。そして、ドア本体４をドア上方から見て、時計方向に１８０度回転させてから吊り込み、ヒンジ軸５３，５３を、上下の丁番５，５に挿入して、ドア本体４を揺動自在に取り付ける。最後に、ドアハンドル４１を、ドア本体４の内側から外側に変更して付替える。
【００３９】
次に図４の右下に示した「右勝手外開き」ドアを、図４の左上に示した「左勝手内開き」に変更する場合は、上述した２種類の変更手段を組み合わせることによって行なう。したがって図１に示すように、ドアハンドル４１及び上下の丁番５，５の高さ方向位置が、上下を逆にしても変化しないように構成すれば、左右の縦内枠２２，２３、左右のマグネット板３２，３３、ドア本体４、丁番５，５、ドアハンドル４１及びラッチ受け部９は、１種類だけ準備しておけば、これらの部品を入れ替えるだけで、この左右の縦内枠に穴あけ作業等をすることなく、ドアの開き勝手と開閉勝手とを、容易かつ迅速に変更することができる。
【００４０】
なおドアの使い勝手の関係で、ドアハンドル４１の高さ方向位置が、縦内枠２２，２３の中央に設置できない場合には、図４の右下に示した「右勝手外開き」ドアを、図４の右上に示した「右勝手内開き」となるように、開閉勝手のみを変更する場合は、左右の縦内枠２２，２３やドア本体４等を、上述したようにそのまま付け直すだけでよいが、図４の右下に示した「右勝手外開き」ドアを、図４の左下に示した「左勝手外開き」となるように、開き勝手のみを変更する場合は、左右の縦内枠２２，２３やドア本体４等を、別の形式のものに取り替えて行なう。
【００４１】
図５に示す開き式ドア構造は、左右の縦外枠１１２，１１３が、合成樹脂で成形され、この側面にそれぞれ強磁性体である鉄板１１２ｂ，１１３ｂが、接着剤で貼着してある点だけが、図３に示した開き式ドア構造と異なる。なお、各構成部品の部品番号は、図３に示す対応部品の番号に１００を加えたものにしてある。
【００４２】
図６に示す開き式ドア構造は、左右の縦内枠２２２，２２３が、合成樹脂で成形され、この側面にそれぞれマグネット板２３２，２３３が、接着剤で貼着してある点だけが、図３に示す開き式ドア構造と異なる。なお、各構成部品の部品番号は、図３に示す対応部品の番号に２００を加えたものにしてある。
【００４３】
図７に示す開き式ドア構造は、左右の縦内枠３２２，３２３が、合成樹脂材で構成され、その側面に合成樹脂材からなるスペーサー３２２ｃ，３２３ｃを介して、それぞれマグネット板３３２，３３３が接着剤で貼着してある点、及び左右の縦外枠３１２，３１３が、合成樹脂材で成形され、その側面に鉄板３１２ｂ，３１３ｂが接着剤で貼着してある点が、図３に示す開き式ドア構造と異なる。なお、各構成部品の部品番号は、図３に示す対応部品の番号に３００を加えたものにしてある。
【００４４】
図８は、図７に示す開き式ドアを取り外したままで使用する場合を示している。すなわち居住者によっては、ドアを付けないで開口通路として使用したい場合もある。しかるにドアを付けないと、右縦外枠４１３に設けたラッチ受け部９を装着する穴４１３ａが外観上に現れ、美観を損なう。そこで磁性体材からなる化粧板４２４，４２５を、マグネット板４３２，４３３を介して、左右の縦外枠４１２，４１３に貼着した鉄板４１２ｂ，４１３ｂに付着させることで、これらの問題を容易に解決することができる。
【００４５】
なお、縦内枠２２，２３等を入れ替える際に、縦外枠１２，１３等との位置合わせを容易にするために、予め、この縦内枠、縦外枠およびマグネット板３２，３３等に位置決め穴等を設けておくことが望ましい。また、本発明による開き式ドア構造は、上述したような片開き式ドアだけに限らす、両開き式ドアについても適用することができる。
【００４６】
【発明の効果】
開き式ドア構造を構成する、外枠、内枠及びドア本体等の部材を変更することなく、ドアの開き勝手や開閉勝手の変更ができる。また、マグネットを介して、縦内枠が縦外枠に着脱可能に固定されているため、新たな穴あけ工事等を必要とせず、極めて容易かつ迅速に、ドアの開き勝手や開閉勝手の変更ができる。さらに、ドアを取り付けないで使用する場合等にも、外観上の美観を容易に保持することができる。
【図面の簡単な説明】
【図１】開き式ドア構造の正面図である。
【図２】丁番を取り付けたドア本体の拡大側端面図である。
【図３】開き式ドア構造の拡大断面図である。
【図４】ドアの開き勝手、開閉勝手を説明するための概略断面図である。
【図５】他の開き式ドア構造の拡大断面図である。
【図６】他の開き式ドア構造の拡大断面図である。
【図７】他の開き式ドア構造の拡大断面図である。
【図８】ドアを取り外して使用する場合の開き式ドア構造の拡大断面図である。
【図９】従来例による開き式ドア構造の拡大断面図である。
【符号の説明】
１                            外枠
１２，１１２〜４１２          左縦外枠
１３，１１３〜４１３          右縦外枠
２                            内枠
２２，１２２〜３２２          左縦内枠
２２ａ，１２２ａ〜３２２ａ    戸当たり部
２２ｂ，１２２ｂ〜３２２ｂ    平坦部
２３，１２３〜３２３          右縦内枠
２３ａ，１２３ａ〜３２３ａ    戸当たり部
２３ｂ，１２３ｂ〜３２３ｂ    平坦部
３２，１３２〜４３２          マグネット板
３３，１３３〜４３３          マグネット板
４，１０４〜３０４            ドア本体
４１                          ドアハンドル
５，１０５〜３０５            丁番
５１，１５１〜３５１          内枠側丁番
５２，１５２〜３５２          ドア側丁番
５３，１５３〜３５３          ヒンジ軸
９，１０９〜３０９            ラッチ受け部
【図１】
2004150055.tif 000003
【図２】
2004150055.tif 000004
【図３】
2004150055.tif 000005
【図４】
2004150055.tif 000006
【図５】
2004150055.tif 000007
【図６】
2004150055.tif 000008
【図７】
2004150055.tif 000009
【図８】
2004150055.tif 000010
【図９】
2004150055.tif 000011